(57)【要約】  本発明は、セーフガードジッパーバッグに関するものとして、より詳しくは、二重開封部を形成してジッパーバッグに加わる力を分散させて、外部開封部によっては開封が難しく、内部開封部によっては開封が容易な安全性を補強したセーフガードジッパーバッグに関する。  本発明によるセーフガードジッパーバッグは、封筒形態の外皮と、前記外皮の内側面に雄ジッパーと雌ジッパーが接着され、前記雄ジッパーと雌ジッパーのうちの少なくとも一つは前記雄ジッパー及び雌ジッパーが雌雄結合される部分から所定の間隔で離隔された一つの位置部分または他の位置部分が前記外皮の内側面に接着されることを特徴として成されてよい。  このようにすれば、追加的な付属物の形成による費用の上昇なしに、力の分散力によって一次的な開封が容易でない低費用高効率の安全ジッパーバッグを提供することが可能である。【選択図】図７
2021512022.tif 000002
【特許請求の範囲】
【請求項１】
封筒形態の外皮と、前記外皮の内側面に雄ジッパーと雌ジッパーが接着され、
前記雄ジッパーと雌ジッパーのうちの少なくとも一つは、前記雄ジッパー及び雌ジッパーが雌雄結合される部分から所定の間隔で離隔された一つの位置部分または他の位置部分とが前記外皮の内側面に接着される、セーフガードジッパーバッグ。
【請求項２】
封筒形態の外皮と、前記外皮の内側面に雄ジッパーと雌ジッパーが接着され、
前記雄ジッパーは、第１水平延長部、突起部、及び第２水平延長部からなり、前記雌ジッパーは、第１水平延長部、溝部、及び第２水平延長部からなり、
前記雄ジッパーの第１水平延長部、突起部、及び第２水平延長部のいずれか一部分以上が前記外皮内の一側面に接着され、前記雌ジッパーの第１水平延長部、溝部、及び第２水平延長部のいずれか一部分以上が前記外皮内の他側面に接着され、
前記突起部と溝部のいずれか一方のみが前記外皮の内側面に接着されるか、両方すべてが前記外皮の内側面に接着されない、セーフガードジッパーバッグ。
【請求項３】
前記雄ジッパー及び雌ジッパーそれぞれの開封口側の先端には、内側開封部が延びて形成される、請求項１または２に記載のセーフガードジッパーバッグ。
【請求項４】
前記内側開封部は前記外皮と同一の幅を有し、両端が外皮に接着される、請求項３に記載のセーフガードジッパーバッグ。
【請求項５】
前記外皮の開封側の先端から前記ジッパーバッグまでを外側開封部という時、
前記内側開封部は、前記外側開封部の深さより小さい、請求項３に記載のセーフガードジッパーバッグ。
【請求項６】
前記外皮の開封側の先端から前記ジッパーバッグまでを外側開封部という時、
前記内側開封部の先端は、前記外側開封部の先端から前記ジッパー方向に入った位置に形成される、請求項３に記載のセーフガードジッパーバッグ。
【請求項７】
前記雄ジッパーの第１水平延長部、突起部、及び第２水平延長部は、前記外皮内の一側面に接着され、前記雌ジッパーの第２水平延長部は、前記外皮内の他側面に接着される、請求項２に記載のセーフガードジッパーバッグ。
【請求項８】
前記雄ジッパーの第２水平延長部は、前記外皮内の一側面に接着され、前記雌ジッパーの第１水平延長部、溝部、及び第２水平延長部は、前記外皮内の他側面に接着される、請求項２に記載のセーフガードジッパーバッグ。
【請求項９】
前記外皮のうち、開封された部分のいずれか一つから延びて内側に屈曲されて形成される二重カバーをさらに含む、請求項２に記載のセーフガードジッパーバッグ。
【発明の詳細な説明】
【技術分野】
【０００１】
本発明は、セーフガードジッパーバッグに関するものとして、より詳しくは、二重開封部を形成してジッパーバッグに加わる力を分散させて、外部開封部によっては開封が難しく、内部開封部によっては開封が容易な安全性を補強したセーフガードジッパーバッグに関する。
【背景技術】
【０００２】
一般的に、ジッパーバッグとは、入り口側に雌・雄の結合部からなったジッパーが備えられた包装バッグをいうものであって、その内側に物品を収納してジッパーを閉めることによって機密を維持して内容物を外部環境から効果的に保護できるようにした生活用品である。
【０００３】
新鮮さと清潔さを要する飲食物などの保管や漏れやすい液状の物質を保管するのに非常に有用であり、さらには、開口部を開閉可能にするジッパーを備えた自立式ポーチ（self-standable pouch）または書類封筒（flat bag）が知られている。
【０００４】
このようなバッグに装着されるジッパーは、共に結合可能なメイルトラック（male track、雄ジッパー）、及び、フィーメイルトラック（female track、雌ジッパー）から構成される。
【０００５】
メイルトラック及びフィーメイルトラックは、バッグ本体部の一対の対向平面部（face member）の内面上に互いに対面し、バッグ本体部の横方向に延びるようにそれぞれ形成される。ジッパーは、概ねバッグ本体部の横方向全体にかけて延びているので、ジッパーを開封することにより、バッグ本体部は横方向の全体領域にかけて開封される。
【０００６】
しかし、保管される内容物に応じて外部から容易に開封が困難なようにする必要があり、特に、子供や乳児が開封してはいけない物品が入っている場合、安全性に問題がある。
【０００７】
このような点を考慮して、ジッパーを二重または三重にした場合もあるが、僅かな力を加えれば、これもまた容易に開封されるしかない構造であり、近頃では、安全ロック装置が付加されたジッパーバッグが取り引きされているが、これは、安定性は高めているが、使用が不便であり費用が高くなる問題がある。
【０００８】
韓国登録実用新案公報第20-0440413号には、二重ジッパーバッグを開示しているが、これは、安定性よりは収納空間の効率性に焦点を置いている。
【発明の概要】
【発明が解決しようとする課題】
【０００９】
本発明が解決しようとする技術的課題は、上述した従来の問題点を解決するために案出されたものとして、容易に開封が困難なジッパーバッグを提供することにある。
【００１０】
特に、乳児や子供が開封し難いようにして、内容物をむやみに取り出すことができないようにしたジッパーバッグを提供することにある。
【００１１】
また、安全性を高めても、追加的な付属物が形成されたりして費用の上昇を発生させることがないように、開封する時の力の分散力を考慮して既存のビニールジッパーバッグを生産する単価に合わせられる低費用高効率の安全ジッパーバッグを提供することにある。
【課題を解決するための手段】
【００１２】
上記課題を解決するための、本発明によるセーフガードジッパーバッグは、封筒形態の外皮と、前記外皮の内側面に雄ジッパーと雌ジッパーが接着され、前記雄ジッパーと雌ジッパーのうちの少なくとも一つは、前記雄ジッパー及び雌ジッパーが雌雄結合される部分から所定の間隔で離隔された一つの位置部分または他の位置部分とが前記外皮の内側面に接着されることを特徴としてなされてよい。
【００１３】
また、本発明によるセーフガードジッパーバッグは、封筒形態の外皮と、前記外皮の内側面に雄ジッパーと雌ジッパーが接着され、前記雄ジッパーは、第１水平延長部、突起部、及び第２水平延長部からなり、前記雌ジッパーは、第１水平延長部、溝部、及び第２水平延長部からなり、前記雄ジッパーの第１水平延長部、突起部、及び第２水平延長部のいずれか一部分以上が前記外皮内の一側面に接着され、前記雌ジッパーの第１水平延長部、溝部、及び第２水平延長部のいずれか一部分以上が前記外皮内の他側面に接着され、前記突起部と溝部のいずれか一方のみが前記外皮の内側面に接着されるか、両方すべてが前記外皮の内側面に接着されないことを特徴としてなされてよい。
【００１４】
ここで、前記雄ジッパー及び雌ジッパーそれぞれの開封口側の先端には、内側開封部が延びて形成されてよい。
【００１５】
ここで、前記内側開封部は前記外皮と同一の幅を有し、両端が外皮に接着されることが好ましい。
【００１６】
ここで、前記外皮の開封側の先端から前記ジッパーバッグまでを外側開封部という時、前記内側開封部は、前記外側開封部の深さより小さい形態で具現することが好ましい。
【００１７】
ここで、前記外皮の開封側の先端から前記ジッパーバッグまでを外側開封部という時、前記内側開封部の先端は、前記外側開封部の先端から前記ジッパー方向に入った位置に形成されるように具現することが好ましい。
【００１８】
ここで、前記雄ジッパーの第１水平延長部、突起部、及び第２水平延長部は、前記外皮内の一側面に接着され、前記雌ジッパーの第２水平延長部は、前記外皮内の他側面に接着される、
ここで、前記雄ジッパーの第２水平延長部は、前記外皮内の一側面に接着され、前記雌ジッパーの第１水平延長部、溝部、及び第２水平延長部は、前記外皮内の他側面に接着されてよい。
【００１９】
ここで、前記外皮のうち、開封された部分のいずれか一つから延びて内側に屈曲されて形成される二重カバーをさらに含んでよい。
【発明の効果】
【００２０】
上述した本発明の構成によれば、特に、乳児や子供が開封し難いようにして、内容物をむやみに取り出すことができないようにしたジッパーバッグを提供することが可能である。
【００２１】
また、追加的な付属物が形成されたりして費用の上昇を発生させることがないように、開封する時の力の分散力を考慮して既存のビニールジッパーバッグを生産する単価に合わせられる低費用高効率の安全ジッパーバッグを提供することが可能である。
【図面の簡単な説明】
【００２２】
【図１】本発明の一実施形態によるセーフガードジッパーバッグの斜視図である。
【図２】本発明の一実施形態によるセーフガードジッパーバッグの開封部の開封状態図である。
【図３】図１のＡ−Ａ断面状態において、各位置別の定義を下すために示された図面である。
【図４】図１のＡ−Ａ断面の第１の実施形態を示したものである。
【図５】図１のＡ−Ａ断面の第２の実施形態を示したものである。
【図６】図１のＡ−Ａ断面の第３の実施形態を示したものである。
【図７】本発明の一実施形態による第１の実施形態において、力を受ける部位と力が分散するメカニズムを説明するための図面である。
【図８】本発明の他の実施形態によるセーフガードジッパーバッグの断面図である。
【発明を実施するための形態】
【００２３】
以下、添付された図面を参照して、本発明によるセーフガードジッパーバッグの構造及び作用効果を詳しく見てみる。
【００２４】
添付の図面に示された特定の実施形態に対する詳細な説明は、それに伴う図面と関連して読まれることになり、図面は、全体発明の説明に対する一部と見なされる。方向や指向性に対する言及は、説明の便宜のためのものに過ぎず、いかなる方式でも本発明の権利範囲を制限する意図を有しない。
【００２５】
具体的に、「下、上、水平、垂直、上側、下側、上向き、下向き、上部、下部」等の位置を示す用語や、これらの派生語（例えば、「水平に、下方に、上方に」など）は、説明されている図面と関連説明とをすべて参照して理解されなければならない。特に、このような相対語は、説明の便宜のためのものに過ぎないため、本発明の装置が特定の方向に構成されたり動作しなければならないことを要求はしない。
【００２６】
また、「装着された、付着された、連結された、つながった、相互に連結された」等の構成間の相互結合関係を示す用語は、別途の言及がない限り、個別の構成が直接的あるいは間接的に付着もしくは連結されたり固定された状態を意味することがあり、これは、移動可能に付着、連結、固定された状態だけでなく、移動不可能な状態まで含めた用語と理解されなければならない。
【００２７】
各図面の構成要素に参照符号を付加するにあたって、同一の構成要素に対しては、たとえ他の図面上に表示されても、出来るだけ同一の符号を有するようにしていることに留意しなければならない。また、本発明を説明するにあたって、関連した公示構成または機能に対する具体的な説明が本発明の要旨を曇らせるかもしれないと判断される場合には、その詳細な説明は省略する。
【００２８】
図１は、本発明によるセーフガードジッパーバッグの斜視図であり、図２は、本発明によるセーフガードジッパーバッグの開封部の開封状態図である。
【００２９】
ジッパーバッグ用の材質は、一般的にビニール紙を使用することができ、ビニール紙は封筒の開封部に多少の体積感があるジッパーを形成するために少々厚くて丈夫な材質を使用することができる。
【００３０】
本発明で使用するビニールという用語は学術名ではなく、一般的に市場で通用する意味の合成樹脂からなるフィルムを総称する意味であって、ビニル基を有するビニル樹脂だけでなく、ビニル基を有さなくても市場で使用されるビニール封筒、ビニールハウスなどに使われるビニール製品のビニールと同様に透明で日の光を透過する性質を有するポリエチレンフィルム製品など合成樹脂フィルム製品で作ったビニールジッパーバッグ用ビニールを総称する意味で使用され得る。
【００３１】
本発明のジッパーバッグ１０は封筒形態の外形をなす外皮１１と、開封部側から所定の距離離隔し、外皮１１の内側面両側にそれぞれ接着されるジッパー１３と、ジッパー１３から開封部側に延びて形成される内側開封部１２とを含んでなってよい。
【００３２】
ジッパーバッグ１０の開封部は、突起を有する一列の雄ジッパーと、閉めた時に突起を収容する一列の溝を有する雌ジッパーから構成されてよい。
【００３３】
必要に応じては、封筒の密閉力を高めるために、二列の雄ジッパーと二列の雌ジッパー、すなわち二対のジッパーを構成することもでき、それ以上を構成することも可能である。
【００３４】
本発明のセーフガードジッパーバッグ１０は、外皮１１、内側開封部１２、及びジッパー１３からなってよく、さらに外皮１１は、二枚のビニールシートを３面で超音波溶着して、一側が開封されるように構成されてよい。
【００３５】
外皮１１の開封部側には、第１外側開封部１１ａと第２外側開封部１１ｂとに区分されてよい。
【００３６】
また、外皮１１の内側には、第１外側開封部１１ａに雄ジッパー１３ａが付着され、第２外側開封部１１ｂに雌ジッパー１３ｂが付着されてよく、必要に応じて雄ジッパーと雌ジッパーとが互いに入れ替わって付着されてもよい。
【００３７】
雄ジッパー１３ａの先端部から開封部側に延びた第１内側開封部１２ａが形成され、雌ジッパー１３ｂの先端部から開封部側に延びた第２内側開封部１２ｂが形成されてよい。
【００３８】
本発明のジッパーバッグ１０は、開封部が外側と内側に互いに区分されて形成されることが特徴であり、さらにジッパー１３の付着方式が既存と全く異なることに技術的特徴がある。これは、下の図３ないし図７を通じて再び説明される。
【００３９】
第１及び第２外側開封部１１ａ、１１ｂは、最外側に位置されて安全のために形成されるものであり、第１及び第２外側開封部１１ａ、１１ｂを両側に力を加えて広げても、ジッパー１３が容易に開封されない特性を有しており、ジッパー１３を開封するためには内側に位置した第１及び第２内側開封部１２ａ、１２ｂを両側に力を加えて広げれば容易にジッパー１３が開封される特性を有する。
【００４０】
したがって、第１及び第２外側開封部１１ａ、１１ｂは、ジッパーの開封を容易に遂行できないようにする形式上の開封部の役割をする安全開封部であり、実際の開封を遂行するのは内側の第１及び第２内側開封部１２ａ、１２ｂがその基本の役割を遂行することになる。
【００４１】
このような特性は、使用者をしてジッパーバッグの開封を容易にできないようにしたことに基づき、特に子供や乳児が容易にジッパーバッグを開封できないようにすることに、その意義があると言える。
【００４２】
図３は、図１のＡ−Ａ断面状態において、各位置別の定義を下すために示された図面である。
【００４３】
図３に示されたように、図１のＡ−Ａ断面を見れば図３と同じであり、これは接着部位を省略して示したものであり、各領域の定義を先ず下すために示したものである。
【００４４】
断面を見れば、外皮１１、内側開封部１２、及びジッパー１３が示された位置に形成される。
【００４５】
第１及び第２外側開封部１１ａ、１１ｂは、ジッパーバッグの開封部側に位置し、外皮の先端から内側開封部１２の先端までの距離と定義されてよい。
【００４６】
第１及び第２内側開封部１２ａ、１２ｂは、内側開封部１２の先端からジッパー１３の第１水平延長部１３１ａ、１３１ｂの先端までの距離と定義されてよい。
【００４７】
ジッパー１３は、雄ジッパー１３ａと雌ジッパー１３ｂとを含み、雄ジッパー１３ａは、中央に突起部１３２ａ、突起部１３２ａを基準として左側に水平延長された第１水平延長部１３１ａ及び右側に水平延長された第２水平延長部１３３ａと定義され、雌ジッパー１３ｂは、中央に溝部１３２ｂ、溝部１３２ｂを基準として左側に水平延長された第１水平延長部１３１ｂ及び右側に水平延長された第２水平延長部１３３ｂと定義されてよい。
【００４８】
一般的に、ジッパーバッグは、雄ジッパー１３ａ及び雌ジッパー１３ｂ部分が外皮１１の内側面にそれぞれ接着され、外皮１１の第１及び第２外側開封部１１ａ、１１ｂの両側を互いに反対方向につかんで引っ張る時、接着された部分に力が加わり、突起部１３２ａと溝部１３２ｂの結合力を優先して開封がされやすい。しかし、本発明は、このような力の集中を分散及び転換して、容易に開封しにくいジッパーバッグを提案するようにする。
【００４９】
図４は、図１のＡ−Ａ断面の第１の実施形態を示したものである。
【００５０】
図４に示された本発明の第１の実施形態は、外皮１１内側の両側面にそれぞれ雄ジッパー１３ａと雌ジッパー１３ｂとがそれぞれ接着されてよい。
【００５１】
ここで、雄ジッパー１３ａ及び雌ジッパー１３ｂそれぞれの先端には、開封部側に延びた第１及び第２内側開封部１２ａ、１２ｂが形成される。
【００５２】
第１及び第２内側開封部１２ａ、１２ｂは外皮１１の内側面に接着されず、雄ジッパー１３ａの第１水平羽根部１３１ａ、突起部１３２ａ、及び第２水平羽根部１３３ａは外皮１１の内側面に接着され、雌ジッパー１３ｂの第２水平羽根部１３３ｂの一部のみが外皮１１の内側面に接着される。
【００５３】
本発明の第１の実施形態は、封筒形態の外皮１１と、外皮１１の内側面に雄ジッパー１３ａと雌ジッパー１３ｂが接着され、雄ジッパー１３ａと雌ジッパー１３ｂのうちの少なくとも一つは雄ジッパー１３ａ及び雌ジッパー１３ｂが雌雄結合される部分（突起部１３２ａ及び溝部１３２ｂ）から離隔した上側部分または下側部分のうち、雄ジッパー１３ａの上下側部分と雌ジッパー１３ｂの下側部分が外皮の内側面に接着された形態を有する。
【００５４】
一般的に、ジッパーは、雄ジッパーと雌ジッパーがそれぞれ突起と溝の形態で結合し、開封時には突起と溝の結合力を除去することになるが、この時、突起と溝は、面に接着された状態で開封部を両側に広げることになれば、接着面に力が加わってジッパーの結合力が容易に解除される。
【００５５】
このような部分を逆に利用すれば、雄ジッパー及び雌ジッパーのいずれか一方を面に接着させない場合、片方は力を受けることができずにジッパーがうまく開かない構造になり、このような原理を用いて簡単で安全なジッパーバッグを具現することが可能になる。
【００５６】
図５は、図１のＡ−Ａ断面の第２の実施形態を示したものである。
【００５７】
図５に示された本発明の第２の実施形態は、外皮１１内側の両側面にそれぞれ雄ジッパー１３ａと雌ジッパー１３ｂとがそれぞれ接着されてよい。
【００５８】
ここで、雄ジッパー１３ａ及び雌ジッパー１３ｂそれぞれの先端には、開封部側に延びた第１及び第２内側開封部１２ａ、１２ｂが形成される。
【００５９】
第１及び第２内側開封部１２ａ、１２ｂは外皮１１の内側面に接着されず、雄ジッパー１３ａの第２水平羽根部１３３ａまたはその一部と、雌ジッパー１３ｂの第２水平羽根部１３３ｂまたはその一部のみが外皮１１の内側面に接着される。
【００６０】
本発明の第２の実施形態は、突起部１３２ａと溝部１３２ｂに直接的に力が加わらず、外皮１１と接している第２水平羽根部１３３ａ、１３３ｂに力が一次的に加わるので、ジッパー１３が容易に開封されず、内側に位置した第１及び第２内側開封部１２ａ、１２ｂを両側に広げながら力を加える時、突起部１３２ａと溝部１３２ｂに直接力が加わって容易に開かれることになる。すなわち、突起部１３２ａと溝部１３２ｂが内側開封部１２ａ、１２ｂに直接連結されているためである。
【００６１】
図６は、図１のＡ−Ａ断面の第３の実施形態を示したものである。
【００６２】
図６に示された本発明の第３の実施形態は、外皮１１内側の両側面にそれぞれ雄ジッパー１３ａと雌ジッパー１３ｂとがそれぞれ接着されてよい。
【００６３】
ここで、雄ジッパー１３ａ及び雌ジッパー１３ｂそれぞれの先端には、開封部側に延びた第１及び第２内側開封部１２ａ、１２ｂが形成される。
【００６４】
第１及び第２内側開封部１２ａ、１２ｂは外皮１１の内側面に接着されず、雄ジッパー１３ａの第１水平羽根部１３３ａまたはその一部のみが外皮１１の内側面に接着され、残りの雌ジッパー１３ｂの第１水平延長部１３１ｂ、溝部１３２ｂ、第２水平延長部１３３ｂ、雄ジッパー１３ａの突起部１３２ａ及び第２水平延長部１３３ａは、外皮１１の内面に接着されない構造を有する。
【００６５】
本発明の第３の実施形態は、突起部１３２ａと溝部１３２ｂに直接的に力が加わらず、外皮１１と接している第1水平羽根部１３１ａに力が一次的に加わるので、ジッパー１３が容易に開封されず、内側に位置した第１及び第２内側開封部１２ａ、１２ｂを両側に広げながら力を加える時、突起部１３２ａと溝部１３２ｂに直接力が加わって容易に開かれることになる。すなわち、突起部１３２ａと溝部１３２ｂが内側開封部１２ａ、１２ｂに直接連結されているためである。
【００６６】
上述した本発明の第１ないし第３の実施形態は好ましい例示に過ぎず、その他に雄ジッパー１３ａと雌ジッパー１３ｂのうちの少なくとも一つは雄ジッパー１３ａ及び雌ジッパー１３ｂが雌雄結合される部分（突起部１３２ａ及び溝部１３２ｂ）から離隔した上側部分または下側部分（第１水平延長部１３１ａ、１３１ｂまたは第２水平延長部１３３ａ、１３３ｂ）が外皮の内側面に接着された形態を有する他の例示は示されていないが、本発明の課題を具現するための本発明の権利範囲に含まれると言える。
【００６７】
図７は、本発明による第１の実施形態において、力を受ける部位と力が分散されるメカニズムを説明するための図面である。
【００６８】
図7においては、本発明の第１の実施形態に基づいて、力が加わったり分散したりする例を再び説明する。
【００６９】
本発明のセーフガードジッパーバッグは、一次的に外部に位置した第１及び第２外側開封部１１ａ、１１ｂが露出しており、その内部に第１及び第２内側開封部１２ａ、１２ｂが内在している形態である。
【００７０】
子供や乳児の場合、外部に見える部分である第１及び第２外側開封部１１ａ、１１ｂのみを両側に広げながらジッパーバッグを開けようとするだろうが、第１及び第２外側開封部１１ａ、１１ｂをＰ１方向へ両側につかんで引っ張れば、第１及び第２外側開封部１１ａ、１１ｂと接した部分に一次的に力が伝達される（Ｆ１地点）。
【００７１】
突起部１３２ａは外皮１１の内面に接着されていて力を受けるが、溝部１３２ｂは外皮１１の内面に接着されておらず力を受けることができず、むしろ外皮１１の内面に接着された第２水平延長部１３３ｂに力が一次的に加わる（Ｆ１地点）。
【００７２】
外皮の内在された第１及び第２内側開封部１２ａ、１２ｂを両側に広げれば（Ｐ２方向）、これとくっ付いた突起部１３２ａと溝部１３２ｂに直接的に力が加わるので、ジッパーは容易に開封できることになる。
【００７３】
このような形態及び構造にして、一般的には外側開封部によって開封が難しいようにし、内側開封部によって開封が容易なようにして、ジッパーバッグの安全性を高めるようにし、これは、特に子供や乳児などがジッパーバッグを容易に開封できないようにして、子供や乳児が内容物に接してはいけない場合、有用に使用できることになる。
【００７４】
図８は、本発明の他の実施形態によるセーフガードジッパーバッグの断面図である。
【００７５】
図８に示された本発明の実施形態は、図１ないし図７に示された本発明の実施形態の構成と内容をそのまま有しつつ、二重カバーを追加した例である。
【００７６】
図８に示された本発明の実施形態は、外皮２１、第１及び第２外側開封部２１ａ、２１ｂ、第１及び第２内側開封部２２ａ、２２ｂ、ジッパー２３、雄ジッパー２３ａ、雌ジッパー２３ｂ、第１水平延長部２３１ａ、２３１ｂ、突起部２３２ａ、溝部２３２ｂ、及び第２水平延長部２３３ａ、２３３ｂを含み、ここに二重カバー２４が追加でさらに形成されてよい。
【００７７】
二重カバー２４は、外皮２１の第１外側開封部２１ａから延びて形成され、第１外側開封部２１ａの先端部で反対方向に屈曲されて外皮２１の内側に折り畳まれて位置されてよい。または、二重カバー２４が第２外側開封部２１ｂから延びて形成されてもよい。
【００７８】
二重カバー２４は、第１及び第２内側開封部２２ａ、２２ｂをもう一度隠す機能をして、その先端は第１及び第２内側開封部２２ａ、２２ｂを覆うことができる程度の長さであれば十分であると言える。
【００７９】
以上で詳細に説明したような本発明は、たとえ限定された実施形態と図面に基づいて説明したとしても、本発明はこれによって限定されず、本発明が属する技術分野における通常の知識を有する者によって、本発明の技術思想と特許請求の範囲の均等範囲内で多様な修正及び変形が可能である。
【００８０】
しかし、そのような単純な修正及び変形は、本発明の権利範囲を外れることができないことは明白である。
【符号の説明】
【００８１】
１０：ジッパーバッグ
１１：外皮
１１ａ：第１外側開封部
１１ｂ：第２外側開封部
１２：内側開封部
１２ａ：第１内側開封部
１２ｂ：第２内側開封部
１３：ジッパー
１３ａ：雄ジッパー
１３ｂ：雌ジッパー
１３１ａ，１３１ｂ：第１水平延長部
１３２ａ：突起部
１３２ｂ：溝部
１３３ａ，１３３ｂ：第２水平延長部
【図１】
2021512022.tif 000003
【図２】
2021512022.tif 000004
【図３】
2021512022.tif 000005
【図４】
2021512022.tif 000006
【図５】
2021512022.tif 000007
【図６】
2021512022.tif 000008
【図７】
2021512022.tif 000009
【図８】
2021512022.tif 000010
【国際調査報告】
2021512022.tif 000011
2021512022.tif 000012
2021512022.tif 000013
2021512022.tif 000014